(57)【要約】【課題】  ユーザが再生開始の指示を行った後、所定時間後に自動的に撮影が停止するスナップムービー撮影モードを有する撮像再生装置において、通常の撮影モードで撮影した映像とスナップムービー撮影モードで撮影した映像が混在する状況で再生を行うと、所定時間毎にテンポ良く映像が切り替わっていくという効果が十分に得られなかった。【解決手段】  スナップムービー撮影モードで撮影された映像のみを抽出して連続して再生するとともに、撮影時に録音した第一の音声とは別に用意された第二の音声を差し替えて再生することにより、所定時間毎に映像がテンポ良く切り替わっていくという効果が得られるとともに、映像の切り替わり時に音声が途切れることがなくなるため、ユーザが感じる違和感を低減することができる。【選択図】  図１
2010141414.tif 000002
【特許請求の範囲】
【請求項１】
映像および音声の記録の開始と終了をユーザが指示する第一の撮影モードと、
映像および音声の記録の開始をユーザが指示した後、所定時間経過後に自動的に撮影が終了する第二の撮影モードと、
前記第一の撮影モードと前記第二の撮影モードで記録した映像を連続して再生可能な第一の映像再生モードと、
前記第二の撮影モードで記録した映像のみを連続して再生可能な第二の映像再生モードと、
前記第一の映像再生モードと前記第二の映像再生モードを切り換えるための映像再生モード切替手段とを有し、
前記第一の撮影モードおよび前記第二の撮影モードで記録された第一の音声と、
前記第一の音声とは別に記録された第二の音声とを選択することが可能であって、
前記映像再生モード切替手段によって、
前記第一の映像再生モードが選択された場合は前記第一の音声を再生し、
前記第二の映像再生モードが選択された場合は前記第二の音声を再生する、
制御手段を有することを特徴とする撮像再生装置。
【請求項２】
前記第一の撮影モードで記録した映像と前記第二の撮影モードで記録した映像とを混在させて一覧表示する第一の一覧表示モードと、
前記第二の撮影モードで記録した映像のみを一覧表示する第二の一覧表示モードと、
前記第一の一覧表示モードと前記第二の一覧表示モードを切り替え可能な一覧表示モード切替手段とを更に有することを特徴とする請求項１に記載の撮像再生装置。
【請求項３】
前記第一の一覧表示モードから再生開始の指示を行った場合は前記第一の映像再生モードで再生を行い、
前記第二の一覧表示モードから再生開始の指示を行った場合は前記第二の映像再生モードで再生を行うことを特徴とする請求項２に記載の撮像再生装置。
【請求項４】
前記第一の撮影モードと前記第二の撮影モードを切り替え可能な撮影モード切替手段を更に有し、
前記撮影モード切替手段に撮影モードの切り替えを指示するための操作部と、前記一覧表示モード切替手段に一覧表示モードの切り替えを指示するための操作部を兼用し、
撮影時は前記操作部からの指示により撮影モードの切り替えを行い、
一覧表示時は前記操作部からの指示により一覧表示モードの切り替えを行うことを特徴とする請求項２乃至３に記載の撮像再生装置。
【請求項５】
前記制御手段は、前記第二の撮影モードで記録した映像の再生タイミングと前記第二の音声の再生タイミングを独立して制御することが可能であって、
前記映像の再生が切り替わる際にも、前記第二の音声の再生を途切れることなく再生することを特徴とする請求項１乃至４に記載の撮像再生装置。
【請求項６】
前記制御手段は、前記第二の撮影モードで記録した映像の再生タイミングと前記第二の音声の再生タイミングを独立して制御することが可能であって、
前記第二の音声の再生が切り替わる際にも、前記映像の再生を途切れることなく再生することを特徴とする請求項１乃至４に記載の撮像再生装置。
【請求項７】
複数の音声より任意の音声を１つ以上選択することができる音声選択手段を更に有し、
前記制御手段は、前記第二の音声として、前記音声選択手段により選択された音声を連続して再生することを特徴とする請求項１乃至６に記載の撮像再生装置。
【請求項８】
前記制御手段は、前記第二の音声の再生音量を制御する再生音量制御手段を持ち、
前記第二の撮影モードで記録した映像の再生終了のタイミングにあわせて、前記第二の音声の再生音量を徐々に減少させることを特徴とする請求項１乃至７に記載の撮像再生装置。
【発明の詳細な説明】
【技術分野】
【０００１】
本発明は、映像を撮影するための撮像再生装置に係り、特に、記録の開始と終了をユーザが指示する第一の撮影モードと、記録の開始をユーザが指示した後、所定時間経過後に自動的に撮影が終了する第二の撮影モードを持つ撮像再生装置に関するものであって、第二の撮影モードで撮影された映像を再生する際に、ユーザが用意した任意の音楽データを、撮影時に録音した音声と差し替えて再生するための技術に関するものである。
【背景技術】
【０００２】
近年、動画像を記録する装置として、従来から知られている磁気テープに加え、光ディスクやハードディスクドライブ、フラッシュメモリ等のランダムアクセス可能な記録媒体を使ったデジタルビデオカメラが普及している。
【０００３】
また、静止画記録用として使われるデジタルスチルカメラにおいても、動画を記録できる機能を持ったものが多くなってきている。
【０００４】
これらの機器の特徴として、記録媒体へのランダムアクセスが可能で、かつＰＣなど他のデジタル機器との親和性も高いことから、短時間の動画ファイル（以下、スナップムービー）を作り、電子メールなどに添付して送信したり、Ｗｅｂページ上にアップロードして公開することが容易な点が挙げられる。
【０００５】
デジタルビデオカメラやデジタルスチルカメラの記録モードとして、記録媒体の容量が許す限りユーザーの指示があるまで連続して撮影を行うこれまでの使い方の通常撮影モードと、スナップムービーの作成を目的として、撮影開始から所定時間（例えば５秒間）の撮影の後、自動的に撮影を停止するスナップムービー撮影モードを選択可能な機器が知られている（例えば特許文献１参照）。
【特許文献１】特開２００５−２０４８４
【発明の開示】
【発明が解決しようとする課題】
【０００６】
しかしながら、特許文献１に記載の記録装置においては、再生時に通常の撮影モードで撮影された映像か、スナップムービー撮影モードで撮影された映像かを区別して再生することができず、両者を混在して再生してしまう。そのため、スナップムービー撮影モードによって撮影された映像のみを再生した際の、意外性のある映像がテンポ良く切り替わっていくという効果を十分に得ることができないという問題があった。
【０００７】
また、再生時の音声に関しては、撮影時に録音した音声をそのまま再生してしまうと、所定時間毎に音声が不連続となり、視聴者に違和感を与えるという問題があった。
【０００８】
本発明は、上記のような問題を鑑みてなされたものであり、ユーザが通常の撮影モードとスナップムービー撮影モードとを切り替えて映像を撮影することができ、再生時には、スナップムービー撮影モードで撮影された映像のみを連続して再生するとともに、再生する音声をユーザが用意した音声データに差し替えて再生することができる撮像再生装置を提供することにある。
【課題を解決するための手段】
【０００９】
本出願に係る第１の発明は、映像および音声の記録の開始と終了をユーザが指示する第一の撮影モードと、映像および音声の記録の開始をユーザが指示した後、所定時間経過後に自動的に撮影が終了する第二の撮影モードと、前記第一の撮影モードと前記第二の撮影モードで記録した映像を連続して再生可能な第一の映像再生モードと、前記第二の撮影モードで記録した映像のみを連続して再生可能な第二の映像再生モードと、前記第一の映像再生モードと前記第二の映像再生モードを切り換えるための映像再生モード切替手段とを有し、前記第一の撮影モードおよび前記第二の撮影モードで記録された第一の音声と、前記第一の音声とは別に記録された第二の音声とを選択することが可能であって、前記映像再生モード切替手段によって、前記第一の映像再生モードが選択された場合は前記第一の音声を再生し、前記第二の映像再生モードが選択された場合は前記第二の音声を再生することを特徴とする。
【００１０】
本出願に係る第２の発明は、前記第一の撮影モードで記録した映像と前記第二の撮影モードで記録した映像とを混在させて一覧表示する第一の一覧表示モードと、前記第二の撮影モードで記録した映像のみを一覧表示する第二の一覧表示モードと、前記第一の一覧表示モードと前記第二の一覧表示モードを切り替え可能な一覧表示モード切替手段とを更に有することを特徴とする。
【００１１】
本出願に係る第３の発明は更に、前記第一の一覧表示モードから再生開始の指示を行った場合は前記第一の映像再生モードで再生を行い、前記第二の一覧表示モードから再生開始の指示を行った場合は前記第二の映像再生モードで再生を行うことを特徴とする。
【００１２】
本出願に係る第４の発明は更に、前記第一の撮影モードと前記第二の撮影モードを切り替え可能な撮影モード切替手段を更に有し、前記撮影モード切替手段に撮影モードの切り替えを指示するための操作部と、前記一覧表示モード切替手段に一覧表示モードの切り替えを指示するための操作部を兼用し、撮影時は前記操作部からの指示により撮影モードの切り替えを行い、一覧表示時は前記操作部からの指示により一覧表示モードの切り替えを行うことを特徴とする。
【００１３】
本出願に係る第５の発明は更に、前記制御手段は、前記第二の撮影モードで記録した映像の再生タイミングと前記第二の音声の再生タイミングを独立して制御する機能を有し、前記映像の再生が切り替わる際にも、前記第二の音声の再生を途切れることなく再生することを特徴とする。
【００１４】
本出願に係る第６の発明は更に、前記制御手段は、前記第二の撮影モードで記録した映像の再生タイミングと前記第二の音声の再生タイミングを独立して制御する機能を有し、前記第二の音声の再生が切り替わる際にも、前記映像の再生を途切れることなく再生することを特徴とする。
【００１５】
本出願に係る第７の発明は更に、複数の音声より任意の音声を１つ以上選択することができる音声選択手段を更に有し、前記制御手段は、前記第二の音声として、前記音声選択手段により選択された音声を連続して再生することを特徴とする。
【００１６】
本出願に係る第８の発明は更に、前記制御手段は、前記第二の音声の再生音量を制御する再生音量制御手段を持ち、前記第二の撮影モードで記録した映像の再生終了のタイミングにあわせて、前記第二の音声の再生音量を徐々に減少させることを特徴とする。
【発明の効果】
【００１７】
以上説明したように、本発明の撮像再生装置によれば、スナップムービー撮影モードで撮影された映像のみを抽出して再生することができるとともに、ユーザが選択した所定の音声データを、撮影時に録音した音声と差し替えて再生することができる。これにより、一定時間毎に映像がテンポ良く切り替わって再生されることにより、意外性のある再生映像が得られるとともに、音声が不連続にならずに再生されるため、視聴者に与える違和感を低減することができる。
【発明を実施するための最良の形態】
【００１８】
（実施例１）
図１は、本発明の実施例１に係る撮像再生装置の撮影時の構成を示すブロック図である。
【００１９】
撮像レンズ１０１は撮影のためのレンズであり、撮像素子１０２が備えられている。撮像レンズ１０１に入射した光は撮像素子１０２において映像信号に変換され、画像処理部１０３に送信される。画像処理部１０３は撮像素子１０２から受信した映像信号に対して、ノイズ低減、ゲイン調整、色調補正等の映像信号処理を行った上で、処理後の映像信号を表示制御部１０４および映像ストリーム生成部１０８に送信する。表示制御部１０４は画像処理部１０３から受信した映像信号に撮影情報などをＯＳＤ映像として合成した後、表示部１０５に出力するための映像信号にを変換し出力する。
【００２０】
音声入力部１０６は録音のためのマイク等であり、音声入力制御部１０７に接続されている。音声入力部１０６は周囲の音を電気信号に変換し、音声入力制御部１０７に送信する。音声入力制御部１０７は、音声入力部１０６から受信した音声信号に対して、ノイズ低減、ゲイン調整、バランス調整とうの音声信号処理を行った上で、処理後の音声信号を映像ストリーム生成部１０８に送信する。
【００２１】
映像ストリーム生成部１０８は、画像処理部１０３から受信した映像信号と、音声入力制御部１０７から受信した音声信号を結合し、所定の映像フォーマットに変換し、映像ストリームを生成するためのエンコーダである。映像ストリーム生成部１０８は変換した映像ストリームを映像ストリーム記録制御部１０９に送信する。
【００２２】
映像ストリーム記録制御部１０９は、映像ストリームを一時的に保存するための図示しないバッファメモリを持ち、映像ストリーム生成部１０８から受信した映像ストリームを前記バッファメモリに蓄積する。映像ストリーム記録制御部１０９は、前記バッファメモリが溢れることがないよう、前記バッファメモリ内の映像ストリームを随時所定のファイルフォーマットに変換し、映像ストリーム記録部１１０に記録する。
【００２３】
映像ストリーム記録部１１０は、撮像再生装置に接続された記録メディアであり、映像ストリーム記録制御部１０９の指示により映像ストリームを記録する。
【００２４】
操作部１１１は撮像再生装置に装備された十字キー、記録開始キー、タッチパネル、および撮影モード切替ボタン等であり、ユーザが操作部１１１を操作すると、その情報が信号として撮影制御部１１２に送信される。撮影制御部１１２は、ユーザが操作部１１１を操作した信号を受信し、その信号に応じて撮像再生装置の動作を制御する。
【００２５】
ユーザの操作には、撮影開始および停止など映像の撮影に必要な指示の他、ユーザが撮影の開始および停止を指示する第一の撮影モードと、ユーザが撮影の開始を指示した後、所定時間後に撮影が自動的に終了する第二の撮影モードを切り替える指示が含まれる。
【００２６】
第一の撮影モード（通常撮影モード）においては、撮影制御部１１２はユーザによる撮影の開始および停止の指示に従い、映像ストリーム生成部１０８を開始および停止するように制御するとともに、管理情報制御部１１３に第一の撮影モードで撮影されたことを通知する。第二の撮影モード（スナップムービー撮影モード）においては、撮影制御部１１２はユーザによる撮影の開始の指示を受け、映像ストリーム生成部１０８を開始するように制御した後、所定時間経過後に映像ストリーム生成部１０８を停止するように制御するとともに、管理情報制御部１１３に第二の撮影モードで撮影されたことを通知する。
【００２７】
管理情報制御部１１３は、撮影制御部１１２から通知された撮影モードの種別を、撮影した映像に対応付けて生成した管理情報に埋め込み、管理情報記録部１１４に記録する。管理情報記録部１１４は、管理情報制御部１１３が生成した管理情報を、撮影された映像と対応付けて記録する。
【００２８】
なお、画像処理部１０３、表示制御部１０４、映像ストリーム１０８、映像ストリーム記録制御部１０９、撮影制御部１１２、管理情報制御部１１３の一部または全部については、マイコン２００上で動作するプログラムとして構成してもよい。
【００２９】
図２は、本発明の実施例１に係る撮像再生装置の撮影時の動作を示すフローチャートである。ユーザは、操作部１１１によって予め撮影モードを決定した後、操作部１１１によって撮影の開始を指示する。
【００３０】
ユーザにより撮影開始の指示が行われると、撮影制御部１１２がその信号を受信し、映像ストリーム生成部１０８の動作を開始させる（Ｓ２０１）。次に撮影制御部１１２は現在の撮影モードを調べ、第一の撮影モードであった場合は第一の撮影モード用の撮影処理に分岐する（Ｓ２０２→Ｓ２０３）。また、第二の撮影モードであった場合は、第二の撮影モード用の撮影処理に分岐する（Ｓ２０２→Ｓ２０５）。
【００３１】
第一の撮影モード用の処理においては、まず映像ストリーム記録制御部１０９に蓄積されている、映像ストリーム生成部１０８が生成した映像ストリームを映像ストリーム記録部１１０に記録する（Ｓ２０３）。次に、操作部１１１からユーザによる撮影の停止指示があったかどうかを確認する（Ｓ２０４）。ユーザによる撮影の停止指示がない場合は撮影を継続し、映像ストリーム生成部１０８が生成する映像ストリームの記録処理を引き続き行う（Ｓ２０４→Ｓ２０３）。ユーザによる撮影の停止指示があった場合は、撮影を停止するため、映像ストリーム生成部１０８の動作停止処理を実行する（Ｓ２０４→Ｓ２０９）。
【００３２】
第二の撮影モード用の処理においては、まず撮影制御部１１２が所定の撮影時間を計測するための記録時間カウンタを開始させる（Ｓ２０５）。次に、第一の撮影モード用の処理と同様に、映像ストリームを映像ストリーム記録部１１０に記録する処理を実行する（Ｓ２０６）。続いて、Ｓ２０５で開始させた記録時間カウンタの値を調べ、所定の記録時間が経過したかどうかを確認する（Ｓ２０７）。所定時間経過していなかった場合は撮影を継続し、映像ストリーム生成部１０８が生成する映像ストリームの記録処理を引き続き行う（Ｓ２０７→Ｓ２０５）。所定時間経過していた場合は、記録時間カウンタを停止させ（Ｓ２０８）、撮影を停止するため、映像ストリーム生成部１０８の動作停止処理を実行する（Ｓ２０８→Ｓ２０９）。
【００３３】
映像ストリーム生成部１０８の動作停止処理においては、撮影制御部１１２が映像ストリーム生成部１０８に対し、動作の停止を指示し、新たな映像ストリームの生成を停止させる。
【００３４】
映像ストリーム生成部１０８は、生成中の映像ストリームを全て映像ストリーム記録制御部１０９に送信した後、動作を停止する（Ｓ２０９）。映像ストリーム記録制御部１０９は、映像ストリーム生成部１０８から受信した映像ストリームを全て映像ストリーム記録部１１０に記録した後、ファイルのクローズ処理を実行し、映像ストリームの記録処理を完了させる（Ｓ２１０）。映像ストリームの記録処理が完了した後、管理情報制御部１１３によって、撮影した映像に対応する管理情報が生成され、撮影モード情報がこの管理情報ファイルに埋め込まれ、管理情報記録部１１４に記録される（Ｓ２１１）。
【００３５】
図３は、本発明の実施例１に係る撮像再生装置の再生時の構成を示すブロック図である。
【００３６】
操作部１１１は撮像再生装置に装備された十字キー、再生指示キー、タッチパネル、および映像再生モード切替ボタン等であり、ユーザが操作部１１１を操作すると、その情報が信号として再生制御部１１５に送信される。
【００３７】
ユーザの操作には、再生開始および停止など映像の再生に必要な指示の他、ユーザが第一の撮影モードで撮影した映像と第二の撮影モードで撮影した映像を混在して一覧表示（第一の一覧表示モード）および再生可能な第一の映像再生モードと、第二の撮影モードで撮影した映像のみを一覧表示（第二の一覧表示モード）および再生可能な第二の映像再生モードを切り替える指示が含まれる。第一の一覧表示モードと第二の一覧表示モードを切り替え可能な一覧表示モード切替の指示は、指示するための独立した任意のボタンもしくは既存のボタンとの兼用であっても良いし、一連のフローの中の判断ステップであっても構わない。
【００３８】
第一の再生モードにおいては、再生制御部１１５は、いずれの撮影モードで撮影された映像であるかにかかわらず、全ての映像を一覧表示および再生する。第二の再生モードにおいては、再生制御部１１５は、各映像について第二の撮影モードで撮影された映像か否かを管理情報制御部１１３から読み出した管理情報をもとに判断し、第二の撮影モードで撮影された映像のみを一覧表示および再生する。管理情報制御部１１３には管理情報記録部１１４が接続され、各映像に対応する管理情報を管理情報記録部１１４から読み出し、読み出した管理情報から必要な情報を抽出し、再生制御部１１５に送信する。
【００３９】
ユーザより、操作部１１１を通じて再生開始の指示があった場合、再生制御部１１５は再生すべき映像を映像ストリーム再生制御部１１６に指示する。映像ストリーム再生制御部１１６は、再生制御部１１５より指示された映像を映像ストリーム記録部１１０より読み出し、映像・音声分離部１１７に送信する。
【００４０】
映像・音声分離部１１７は、映像ストリーム再生制御部１１６より受信した映像ストリームより、映像信号と音声信号を分離し、映像信号を映像再生部１１８に送信し、音声信号を音声切替部１２１に送信する。
【００４１】
映像再生部１１８は、映像・音声分離部１１７より受信した映像信号を復号し、表示制御部１０４が表示可能な映像信号に変換を行った後、表示制御部１０４に送信する。表示制御部１０４は、映像再生部１１９から受信した映像信号を表示部１０５に表示する。
【００４２】
また、ユーザより、操作部１１１を通じて再生開始の指示があった場合、再生制御部１１５は再生すべき音声データを音声データ再生制御部１１９に指示する。
【００４３】
再生制御部１１５からの指示が、撮影時に録音した音声の再生だった場合は、音声データ再生制御部１１９は、音声切替部１２１に対し、映像・音声分離部１１７で分離された音声データを選択するように指示を行う。再生制御部１１５からの指示が、ユーザが指定した音声データの再生だった場合は、音声データ再生制御部１１９は、音声データ記録部１２０に記録されている指定の音声データを読み出す。そして、音声切替部１２１に送信するとともに、音声切替部１２１に音声データ再生制御部１１９から送信した音声データを選択するように指示を行う。映像の再生が終了する前に指定された音声データの再生が終了した場合は、音声データ再生制御部１１９は再度指定された音声データを先頭から読み出し、音声切り替え部１２１に送信する。また、音声データ再生制御部１１９は映像の再生終了の一定時間前より音声データの再生音量を徐々に減少させていき、映像の再生終了時に音量がゼロになるように再生音量制御を行う。
【００４４】
音声切替部１２１は、音声データ再生制御部からの指示に従い、映像・音声分離部１１７から送信された音声データと、音声データ再生制御部１１９から送信された音声データのいずれかを選択し、選択した音声データのみを音声再生部１２２に送信する。
【００４５】
この際、映像・音声分離部１１７から受信した音声データに、映像データと同期を取って再生を行うための再生タイミング情報などが付加されている場合、音声切替部１２１は音声データ再生制御部１１９から受信した音声データに前記の情報を付加するなど、音声データが音声再生部１２２で正しく再生されるための処理を行う。
【００４６】
音声再生部１２２は、音声切替部１２１から受信した音声データを復号し、音声出力制御部１２３が受信可能な信号に変換して送信する。音声出力制御部１２３は、音声再生部１２２から受信した音声データに対し、音量調整、音質補正などの処理を加えた後、音声出力部１２４が出力可能な信号に変換して送信する。音声出力部１２４は音声出力制御部１２３から受信した音声データを出力する。音声出力部１２４の出力する形式は、スピーカ等による実際に発せられる音であってもよく、ライン出力等のアナログ信号であってもよく、あるいは規格化されたデジタル信号であってもよい。
【００４７】
なお、表示制御部１０４、管理情報制御部１１３、再生制御部１１５、映像ストリーム再生制御部１１６、映像・音声分離部１１７、映像再生部１１８、音声データ制御部１１９、音声切替部１２１、音声再生部１２２、音声出力制御部１２３の一部または全部については、マイコン２００上で動作するプログラムとして構成してもよい。
【００４８】
また、映像再生部１１８および音声再生部１２２については映像ストリーム再生用のデコーダとして独立したＤＳＰ（Ｄｉｇｉｔａｌ  Ｓｉｇｎａｌ  Ｐｒｏｃｅｓｓｏｒ）として構成してもよい。
【００４９】
図４は、本発明の実施例１に係る撮像再生装置の一覧表示時の動作を示すフローチャートである。ユーザは、操作部１１１によって予め再生モードを決定した後、操作部１１１によって映像の一覧表示を指示する。
【００５０】
ユーザが操作部１１１を操作することにより映像の一覧表示の指示を行うと、再生制御部１１５が現在の再生モードを確認する（Ｓ３０１）。
【００５１】
現在の再生モードが第一の再生モードであった場合は、全ての映像を再生リストに追加する処理を実行する（Ｓ３０１→Ｓ３０２）。現在の再生モードが第二の再生モードであった場合は、第二の撮影モードで撮影された映像のみを抽出するための処理を開始する（Ｓ３０１→Ｓ３０３）。
【００５２】
第一の再生モードにおいては、再生リストには全ての映像が撮影した順に追加される（Ｓ３０２）。
【００５３】
第二の再生モードにおいては、全ての映像に対して、先頭から順に第二の撮影モードで撮影されたか否かを判断するために、まず先頭の映像の管理情報を管理情報制御部１１３を通じて管理情報記録部１１４より読み出す（Ｓ３０３）。再生制御部１１５は管理情報より現在の映像が第二の撮影モードで撮影された映像であるか否かを判断する（Ｓ３０４）。第二の撮影モードで撮影された映像であると判断された場合、現在の映像を再生リストに追加する（Ｓ３０４→Ｓ３０５）。その後、最後の映像までチェックが完了したかどうかの確認を行う（Ｓ３０５→Ｓ３０６）。
【００５４】
第二の撮影モードで撮影された映像であると判断できない場合、再生リストには追加せず、最後の映像までチェックが完了したかどうかの確認を行う（Ｓ３０４→Ｓ３０６）。
【００５５】
最後の映像までチェックが完了すると、作成された再生リストから一覧表示すべき映像を選択する処理を実行する（Ｓ３０８）。まだ映像が残っている場合は、次の映像の管理情報を読み出し、いずれの撮影モードで撮影された映像かの判断を行う（Ｓ３０７→Ｓ３０４）。
【００５６】
作成された再生リストから一覧表示する映像を選択する処理においては、表示部の中に一覧表示する映像の数、再生リスト内の表示する位置から表示する映像を選択する（Ｓ３０８）。例えば、一度に６個の映像を表示部に表示する一覧表示画面において、１００個の映像が再生リストに登録されている中から１３個目からの映像を一覧表示する場合、１３個目から１８個目までの映像が選択される。
【００５７】
再生制御部１１５は、選択された映像を一覧表示するための指示を映像ストリーム再生制御部１１６に対して行う。映像ストリーム再生制御部は、指示された映像を映像ストリーム記録部１１０から読み出し、映像・音声分離部１１７、映像再生部１１８、映像制御部１０４を通じて表示部１０５に出力する（Ｓ３０９）。
【００５８】
図５は、本発明の実施例１に係る撮像再生装置の再生時の動作を示すフローチャートである。ユーザは、操作部１１１によって一覧表示されている映像の中から、任意の映像を選択し、再生開始の指示を行う。
【００５９】
再生開始の指示が行われた場合、再生制御部１１５は、再生モードがいずれのモードであるかを確認する（Ｓ４０１）。
【００６０】
再生モードが第一の再生モードであった場合、再生開始の指示をされた映像から、映像の一覧表示時に作成した再生リストに従って映像を再生する（Ｓ４０１→Ｓ４０２）。映像再生中は、再生リストの終端まで再生が行われたかどうかを定期的に確認する（Ｓ４０３）。再生リストの終端まで再生が行われた場合は再生を終了する（Ｓ４０３→Ｓ４０９）。
【００６１】
再生モードが第二の再生モードであった場合、再生制御部１１５は、音楽差し替え再生の指示がされているかどうかを確認する（Ｓ４０１→Ｓ４０４）。
【００６２】
音楽差し替え再生の指示がされていない場合、再生開始の指示をされた映像から、映像の一覧表示時に作成した再生リストに従って映像を再生する（Ｓ４０４→Ｓ４０２）。
【００６３】
音楽差し替え再生の指示がされている場合、再生制御部１１５は、音声データ再生制御部１１９に選択されている音声データを再生する指示を行う（Ｓ４０４→Ｓ４０５）。音声データ再生制御部１１９は、映像の再生が終了するまで指定された音声データの再生を途切れることなく繰り返し実行する。音声データの音声選択は、複数の音声データより任意の音声データを１つ以上選択することができる。音声データの再生が開始されると、再生開始の指示をされた映像から、映像の一覧表示時に作成した再生リストに従って映像を再生する（Ｓ４０６）。映像再生中は、再生リストの終端まで再生が行われたかどうかを定期的に確認する（Ｓ４０７）。このとき再生リストの終端までの残り時間も同時に確認を行い、残り時間が所定の音声フェードアウト時間よりも小さい場合、音声データ再生制御部１１９は再生リストの終端到達時に音声データの再生音量がゼロとなるように徐々に再生音量を減少させる。再生リストの終端まで再生が行われた場合、音声データの再生を停止する（Ｓ４０７→Ｓ４０８）。音声データの再生停止が完了すると、映像の再生を停止する（Ｓ４０９）。
【００６４】
以上説明したように、本発明を上記実施例１のごとく適用することで、ユーザが撮影開始の指示を行ってから所定時間後に自動的に撮影を停止する第二の撮影モードによって撮影された映像のみを抽出して再生することができる。更に撮影時に録音した第一の音声データとは別に用意された第二の音声データ（元々撮像再生装置に記録されてあった音声や楽曲、もしくは撮像再生装置外部に記録されてあった音声や楽曲）を差し替えて再生させることが可能になる。これにより、一定時間毎に映像がテンポ良く切り替わって再生されることにより、意外性のある再生映像が得られるとともに、音声が不連続にならずに再生されるため、視聴者に与える違和感を低減することができる。
【００６５】
（実施例２）
図６は、本発明の実施例２に係る撮像再生装置の再生時の構成を示すブロック図である。
【００６６】
図３に示した、実施例１に係る撮像再生装置の再生時の構成を示すブロック図と共通する部分については説明を省略し、差異についてのみ述べる。
【００６７】
映像・音声分離部１１７が分離した音声データは、直接音声再生部１２２に送信される。音声再生部１２２は映像・音声分離部１１７から受信した音声信号を復号し、音声出力制御部１２３が受信できる信号に変換した後、音声切替部１２６に送信する。
【００６８】
再生時の音声再生の指示が撮影時に録音した音声の再生だった場合は、音声データ再生制御部１１９は音声切替部１２６に対し、音声再生部１２２が送信した音声データを選択するように指示を行う。
【００６９】
再生時の音声再生の指示がユーザが指定した音声データの再生だった場合は、音声データ再生制御部１１９は、音声データ記録部１２０に記録されている指定の音声データを読み出す。そして、音声再生部１２２とは独立に用意された第二の音声再生部１２５に送信するとともに、音声切替部１２６に音声再生部１２５から送信した音声データを選択するように指示を行う。
【００７０】
第二の音声再生部１２５は、音声データ再生制御部１１９から受信した音声データを復号し、音声出力制御部１２３が受信できる信号に変換し、音声切替部１２６に送信する。
【００７１】
以上説明したように、本発明を上記実施例２のごとく適用することで、実施例１と同様の効果を得ることができる。更に、音声切替部１２６は、復号後の音声データを切り替えるだけでよく、実施例１の音声切替部１２１で実施しているような再生タイミング情報の付加といった処理を行う必要がなくなり構成が容易となるため、より好適である。
【図面の簡単な説明】
【００７２】
【図１】本発明の実施例１に係る撮像再生装置の撮影時の概略構成図である
【図２】本発明の実施例１に係る撮像再生装置の撮影時のフローチャートである
【図３】本発明の実施例１に係る撮像再生装置の再生時の概略構成図である
【図４】本発明の実施例１に係る撮像再生装置の映像一覧表示時のフローチャートである
【図５】本発明の実施例１に係る撮像再生装置の映像再生時のフローチャートである
【図６】本発明の実施例２に係る撮像再生装置の再生時の概略構成図である
【符号の説明】
【００７３】
１０１  撮像レンズ
１０２  撮像素子
１０３  画像処理部
１０４  表示制御部
１０５  表示部
１０６  音声入力部
１０７  音声入力制御部
１０８  映像ストリーム生成部
１０９  映像ストリーム記録制御部
１１０  映像ストリーム記録部
１１１  操作部
１１２  撮影制御部
１１３  管理情報制御部
１１４  管理情報記録部
１１５  再生制御部
１１６  映像ストリーム再生制御部
１１７  映像・音声分離部
１１８  映像再生部
１１９  音声データ再生制御部
１２０  音声データ記録部
１２１  音声切替部
１２２  音声再生部
１２３  音声出力制御部
１２４  音声出力部
１２５  音声再生部
１２６  音声切替部
【図１】
2010141414.tif 000003
【図２】
2010141414.tif 000004
【図３】
2010141414.tif 000005
【図４】
2010141414.tif 000006
【図５】
2010141414.tif 000007
【図６】
2010141414.tif 000008